(57)【要約】【課題】陽電子放出断層撮影装置の放射の強い減衰を回避する。【解決手段】送信アンテナの支持管７として、陽電子放出断層撮影装置の放射を非常に僅かしか減衰しないサンドイッチ構造８，９，１０が使用される。サンドイッチ構造は、支持管の剛い薄い内壁８と、同様に剛い薄い外壁９と、ハニカム状材料または発泡材料よりなる内部とから構成されている。【選択図】図３
2008264552.tif 000002
【特許請求の範囲】
【請求項１】
磁気共鳴断層撮影装置と陽電子放出断層撮影装置との統合装置であって、磁気共鳴断層撮影装置の高周波送信−受信システムおよび陽電子放出断層撮影装置の検出器が磁気共鳴断層撮影装置の磁石および傾斜磁場コイルの内側に配置され、磁気共鳴断層撮影装置の高周波送信−受信システムが支持管を備えている磁気共鳴断層撮影−陽電子放出断層撮影統合装置において、
磁気共鳴断層撮影装置の高周波送信−受信システムの支持管（７）が、陽電子放出断層撮影装置の放射を僅かしか減衰させないように構成されていることを特徴とする磁気共鳴断層撮影−陽電子放出断層撮影統合装置。
【請求項２】
支持管（７）が実質的にサンドイッチ構造からなることを特徴とする請求項１記載の装置。
【請求項３】
サンドイッチ構造が、高剛性の薄い層からなる外壁（９）および内壁（８）を含むことを特徴とする請求項２記載の装置。
【請求項４】
外壁（９）もしくは内壁（８）の厚さが０．５〜１．０ｍｍであることを特徴とする請求項３記載の装置。
【請求項５】
サンドイッチ構造は高い耐圧性を有する材料からなる中間層（１０）を有することを特徴とする請求項２乃至４の１つに記載の装置。
【請求項６】
支持管（７）の中間層（１０）が発泡材料からなることを特徴とする請求項２乃至５の１つに記載の装置。
【請求項７】
支持管（７）の中間層（１０）がハニカム状材料からなることを特徴とする請求項２乃至５の１つに記載の装置。
【請求項８】
支持管（７）の外壁（９）と内壁（８）との間の内部が、陽電子放出断層撮影装置の検出器（４）の範囲内においてのみ、発泡材料またはハニカム状材料からなる中間層（１２）を充填され、残りの内部空間が通常のように充填されていることを特徴とする請求項２乃至７の１つに記載の装置。
【発明の詳細な説明】
【技術分野】
【０００１】
本発明は、磁気共鳴断層撮影装置と陽電子放出断層撮影装置との統合装置に関する。
【背景技術】
【０００２】
磁気共鳴断層撮影装置（ＭＲ）と陽電子放出断層撮影装置（ＰＥＴ）との画像化法を統合して１つの装置を構成するためには、磁気共鳴断層撮影装置の高周波送信−受信システム（以下、ＭＲ高周波送信−受信システム）と同様に陽電子放出断層撮影装置の検出器（以下、ＰＥＴ検出器）も、静磁場磁石およびＭＲ傾斜磁場コイルの内側に配置されなければならない。しかしながら、ＰＥＴリングの内側に高周波システムを配置することは、内側にある送信−受信コイルの支持構造および被覆管がＰＥＴ検出器の感度を低下させるという決定的な欠点を有する。高周波送信アンテナのための部分的に同時に被覆としても役立つ支持構造として、一般にグラスファイバ強化されたエポキシ樹脂または類似の注型材料からなる管が使用され、これらの材料は高い密度のためにＰＥＴ放射を強く減衰させる。
【発明の開示】
【発明が解決しようとする課題】
【０００３】
本発明の課題は、このＰＥＴ放射の強い減衰が回避される磁気共鳴断層撮影−陽電子放出断層撮影統合装置を提供することにある。
【課題を解決するための手段】
【０００４】
この課題は、本発明によれば、磁気共鳴断層撮影装置と陽電子放出断層撮影装置との統合装置であって、磁気共鳴断層撮影装置の高周波送信−受信システムおよび陽電子放出断層撮影装置の検出器が磁気共鳴断層撮影装置の磁石および傾斜磁場コイルの内側に配置され、磁気共鳴断層撮影装置の高周波送信−受信システムが支持管を備えている磁気共鳴断層撮影−陽電子放出断層撮影統合装置において、
磁気共鳴断層撮影装置の高周波送信−受信システムの支持管（７）が、陽電子放出断層撮影装置の放射を僅かしか減衰させないように構成されていることによって解決される。
本発明の有利な実施態様は次の通りである。
（１）支持管が実質的にサンドイッチ構造からなる（請求項２）。
（２）サンドイッチ構造が、高剛性の薄い層からなる外壁および内壁を含む（請求項３）。外壁もしくは内壁の厚さが０．５〜１．０ｍｍである（請求項４）。
（３）サンドイッチ構造は高い耐圧性を有する材料からなる中間層を有する（請求項５）。
（４）支持管の中間層が発泡材料からなる（請求項６）。
（５）支持管の中間層がハニカム状材料からなる（請求項７）。
（６）支持管の外壁と内壁との間の内部が、陽電子放出断層撮影装置の検出器の範囲内においてのみ、発泡材料またはハニカム状材料からなる中間を充填され、残りの内部空間が通常のように充填される（請求項８）。
【０００５】
本発明による装置は一連の著しい利点を保証する。例えばＰＥＴリングの内側に配置された支持構造によるガンマ線の減弱が無くなる。ＰＥＴ検査時間の最小限化も可能であり、ＰＥＴの高い信号雑音比が可能である。特に、本発明はＰＥＴとＭＲとの同時画像化を可能にし、それにより高速の患者検査を可能にする。更に、内部空間からのアンテナ構造の高い熱的絶縁も有利である。
【０００６】
３つの層、すなわち薄い内壁と外壁とそれらの間にある中間層とからなるサンドイッチ構造が特別な働きをする。好ましくは内壁および外壁が高剛性の薄い層からなり、これに対して中間層がＰＥＴ放射に対して良好な透過性の充填材を含んでいる。代替として、２層のみ、または４層、５層またはそれよりも多い層からなる複合材料も使用可能である。特に、薄くて剛い（硬い）外壁および陽電子透過性の形状安定な内壁からなる２層構造が使用可能である。
【発明を実施するための最良の形態】
【０００７】
添付図面に本発明の実施例が示されている。
図１は本発明による装置の実施例の部分横断面を示し、
図２は第１の実施形態による装置の支持管の横断面を示し、
図３は図２に示された支持管の一部を拡大して示し、
図４は本発明にしたがって構成された支持管の他の実施例の横断面を示し、
図５は図４に示された支持管の縦断面を拡大尺度で示す。
【０００８】
本発明による図１に示されている装置の部分図は傾斜磁場コイル１を示す。傾斜磁場コイル1は、取付け間隙２によって分離されて、ＰＥＴ検出器4の支持管３上に配置されている。ＰＥＴ検出器４としてアバランシェフォトダイオードが使用される。アバランシェフォトダイオードは光電子増倍管と違って磁場内におけるセンサ素子として使用可能である。送信アンテナの支持体として本発明にしたがって構成された支持管７が使用される。送信アンテナ１４は薄い銅膜１４の形で支持管７の外面に固定され、例えば接着されている。その上方に、かつＰＥＴ検出器４から高周波シールド５によって分離されて、送信アンテナの磁場帰路空間６が設けられている。
【０００９】
図３には、図２に示されている支持管７の部分拡大図が示されている。支持管７は高剛性の薄い内壁８と同様に非常に剛い（硬い）薄い外壁９から構成され、これらの間に送信アンテナ１４の支持管７のとりわけ耐圧性の中間層１０が配置されている。薄い内壁８および薄い外壁９は、プラスチック、エポキシ樹脂、特にグラスファイバ強化されたエポキシ樹脂、プレキシグラス（登録商標）、ガラスから成るとよい。それらの厚さは０．２〜２ｍｍ、とりわけ０．５〜１ｍｍの範囲、特に０．７５ｍｍに選ぶとよい。支持管７の内部１０については、例えばポリウレタン発泡体またはロハセル（登録商標）のような発泡材料が適している。しかし、紙からなるハニカム状構造も使用可能である。支持管７の全厚さが１０ｍｍである場合、軽量の内部１０は、その全厚さの約７０％〜９０％、とりわけ８０％であるとよい。このようにしてサンドイッチ構造が生じるが、このサンドイッチ構造はＰＥＴ放射の僅かな減衰しか生じさせない。このサンドイッチ構造は、支持管７の円周方向における高剛性を僅かの撓みおよび変形に結びつける。薄い内壁８および同様に薄い外壁９は支持管７の軽量の内部１０の損傷を防止する。
【００１０】
図４および図５に示されている本発明の実施例では、支持管７が患者寝台のためのレール１１を支持する機能も引き受ける。この実施例の場合には、長手方向においてＰＥＴ検出器４の範囲内にのみ、図５の長手（縦）断面図に示されているような、発泡材料またはハニカム状材料からなる中間層１２が使用される。ＰＥＴ検出器４の範囲外では、例えばグラスファイバ強化されたエポキシ樹脂のような大きな安定性を有する材料が使用されるとよい。ＰＥＴ検出器４の範囲内に中間層１２を使用することによって、所望の僅かな減衰が配慮されていながら、同時に支持管７の剛性（硬さ）が高められる。
【図面の簡単な説明】
【００１１】
【図１】本発明による装置の実施例の部分横断面
【図２】第１の実施形態による装置の支持管の横断面
【図３】図２に示された支持管の部分拡大図
【図４】本発明にしたがって構成された支持管の他の実施例の横断面図
【図５】図４に示された支持管の部分拡大縦断面図
【符号の説明】
【００１２】
１          傾斜磁場コイル
２          取付け間隙
３          ＰＥＴ検出器の支持管
４          ＰＥＴ検出器
５          高周波シールド
６          磁場帰路空間
７          送信アンテナの支持管
８          内壁
９          外壁
１０        中間層（内部）
１１        レール
１２        中間層
１４        送信アンテナ
【図１】
2008264552.tif 000003
【図２】
2008264552.tif 000004
【図３】
2008264552.tif 000005
【図４】
2008264552.tif 000006
【図５】
2008264552.tif 000007